Podtech/llm-jp-corpus-v4-ja_patent huggingface dataset:
(57)【要約】      （修正有）【課題】沸騰した液体のこぼれ落ちを防止する鍋を提供する。【解決手段】蓋２１を鍋１本体の内壁２に沿って上下左右に変動できるようにした。調理用の圧力式でない通常の形状や円筒形状等の鍋類の容器の本体の内側の横壁の底面と平行する複数段の平面と交叉する円周を複数等分割する各点に、蓋の周縁を上にのせて蓋を保持できる突起Ａ１，Ａ２，Ａ３をつくったものと、鍋１の内壁２にフィットして上下左右にスライドできる大きさの鍋の蓋の周縁に、この蓋２１がこれらの突起Ａ１，Ａ２，Ａ３の上部と下部の間を通過できる大きさの空間をつくったものとから成る、沸騰した液体のこぼれ落ちを防止する鍋。【選択図】図１
0003186461.tif 000002
【実用新案登録請求の範囲】
【請求項１】
調理用の圧力式でない通常の形状や円筒形状等の鍋類の容器の本体の内側の横壁の底面と平行する複数段の平面と交叉する円周を複数等分割する各点に、蓋の周縁を上にのせて蓋を保持できる突起をつくったものと、鍋の内壁にフィットして上下左右にスライドできる大きさの鍋の蓋の周縁に、この蓋がこれらの突起の上部と下部の間を通過できる大きさの空間をつくったものとから成る、沸騰した液体のこぼれ落ちを防止する鍋。
【考案の詳細な説明】
【技術分野】
【０００１】  本考案は改造を加えた鍋本体と蓋とを組み合わせて沸騰による液体の鍋からの噴きこぼれを防止する鍋に関するものである。
【背景技術】
【０００２】  沸騰による液体のこぼれ落ちを防ぐことのできる鍋において蓋の位置を鍋本体の上縁より下方において上下に変動できる形態のものはなかった。
【考案の概要】
【考案が解決しようとする課題】
【０００３】  蓋の位置を鍋の上下に変動することができなかったり、鍋本体の上縁部や摘み部の改造に多くの技術的や経済的な労費を要した。
【課題を解決するための手段】
【０００４】  鍋本体の上縁部を改良して液体のこぼれ落ちを防止したり、摘み部を改良して排気量を調節するという従来の発想を転換して、常時蓋の周縁部の位置を鍋本体の内側で上縁より下方に安定保持することで課題を解決した。
【考案の効果】
【０００５】  沸騰した液体のこぼれ落ちを無くせる。蓋を上下に移動させて沸騰のスピード化を調節できる。蓋を傾斜保持して通気量の増加を図れる。蓋を８ｃｍの高さに置き、小型鍋として兼用できる。
【図面の簡単な説明】
【０００６】
【図１】鍋の切断横面略図
【図２】鍋本体の上面略図
【図３】蓋の上面略図
【図４】蓋の横面略図
【図５】蓋を第２段に保持した鍋の上面略図
【考案を実施するための形態】
【０００７】  本案の鍋本体の形状は、蓋を鍋本体の上縁上に置く方法から、本体の内側を上下にスライドする方法に変わったため、円筒形状のものを採用することとした。
【０００８】  本体の内壁の複数段の高さのそれぞれになるべく小さくて数少なく蓋を保持できる複数の突起をつくった。  蓋の周縁にはこれらの突起の上部と下部との間をパスできる空間をつくった。
【０００９】  調理用の圧力式でない通常の形状や円筒形状等の鍋類の容器（以下「鍋」という。）の本体の内側の横壁（以下「内壁」という）の底面と平行する複数段の平面と交叉する円周を複数等分割する各点に、蓋の周縁を上にのせて蓋を保持できる突起をつくったものと、鍋の内壁にフィットして上下左右にスライドできる大きさの鍋の蓋の周縁に、この蓋がこれらの突起の上部と下部の間を通過できる大きさの空間をつくったものとから成る、沸騰した液体のこぼれ落ちを防止する鍋。
【実施例】
【００１０】  本体の形状を底面の直径が外径１８ｃｍ、内径１７．８ｃｍ、高さ１７ｃｍの円筒形状とした。【００１１】  鍋の底面の円周を３等分割する点から内壁を立ち上るＡＢＣ３本の垂直線のそれぞれの高さが、８・１２・１５ｃｍの各点をＡ１・Ａ２・Ａ３、Ｂ１・Ｂ２・Ｂ３、Ｃ１・Ｃ２・Ｃ３とし、これらの点の内壁に、蓋の周縁をのせて蓋を保持できる大きさが約０．５×０．５×０．８ｃｍ程度で、形が円柱形状の突起をつくった。【００１２】  蓋の大きさを直径約１７．７ｃｍ程にして鍋本体の内側をスライド可能にし、この蓋の周縁３か所に突起よりやや大きめの１．０×１．０×１．２ｃｍ程度の空間をつくった。【００１３】  突起の上に保持されている蓋を左右にスライドさせ、空間と突起を重ね合わせて、蓋が突起を上下にパスできるようにした。
【符号の説明】
【００１４】  １  鍋本体              ２１  蓋
２  内壁                ２２  周縁
３  底面                ２３  摘み
４  突起                ２４  空間
Ａ１・Ｂ１・Ｃ１  突起
Ａ２・Ｂ２・Ｃ２  突起
Ａ３・Ｂ３・Ｃ３  突起
【図１】
0003186461.tif 000003
【図２】
0003186461.tif 000004
【図３】
0003186461.tif 000005
【図４】
0003186461.tif 000006
【図５】
0003186461.tif 000007
(57)【要約】      （修正有）【課題】事務用机やキッチン整理棚などの引き出しに使用して、当該引き出しに収納する物品の形状に合わせて前後左右に自在に仕切りを移動し、整理整頓をフレキシブルに可能にした引き出し整理用の仕切り用具を提供する。【解決手段】仕切り板と、スチール製の底板２とからなり、本体仕切り板本体１１にはマグネットが備えられており、いつでも収納する物品の形状・大きさに合わせて、前後左右にその位置を変更して整理整頓に供する事を特徴とする。【選択図】図６
0003186468.tif 000002
【実用新案登録請求の範囲】
【請求項１】
マグネットを備えた仕切り板１とスチール製の底板２から構成され、本体仕切板１はマグネット１２の吸着力でスチール製の底板２に配置され、前後左右自在にその位を変更して仕切ることができるようにしたことを特徴とする引き出し整理用の仕切り用具。
【請求項２】
仕切り板１には、底面に平面を設け倒れ防止の鍔１３を備え、原料削減及び空気対流のための長穴１４を備える事を特徴とする請求項１記載の引き出し整理用の仕切り用具。
【考案の詳細な説明】
【技術分野】
【０００１】  事務机・キッチン整理棚等の整理のための仕切り用具に関する。
【背景技術】
【０００２】  今まで引き出し内の整理のために前後左右自在に、その位置を変更できる引き出し整理用仕切り用具はなかった。
【考案の概要】
【考案が解決しようとする課題】
【０００３】  職場や家庭で使用する引き出しの整理のための優れた用具がなく、整理整頓ができず種々の無駄が発生たり、作業の効率を妨げる等の事例が多くみられている。
【課題を解決するための手段】
【０００４】  強力マグネットを備えた仕切り板１とスチール製の底板２から構成され、本体仕切り板は、マグネット１２の吸着力でスチール製の底板２に配置され、前後左右自在にその位置を変更して仕切ることができるようにしたことを特徴とする引き出し整理用仕切り用具。
【考案の効果】
【０００５】  仕切り板１を前後左右に自由に位置変えができるので、日毎更新される収納品の形状や大きさに合わせ整理ができ、陰に隠れて長期間使用されず死蔵品になる等の無駄を防止し、且つ必要な時に必要なものを取りだせる等、仕事の能率向上が可能となる。
【図面の簡単な説明】
【０００６】
【図１】本考案の引き出し整理用の仕切り板の正面図
【図２】本考案の引き出し整理用の仕切り板の側面図
【図３】本考案の引き出し整理用の仕切り板の平面図
【図４】本考案の引き出し整理用スチール製の底板の平面図
【図５】本考案の引き出し整理用スチール製の底板の側面図
【図６】本考案の引き出し整理用仕切り用具の組立使用図
【考案を実施するための形態】
【０００７】  本考案の引き出し内の整理のための用具は強力マグネットを備えた仕切り板１とそれを補助するスチール製の底板２から構成される。
本考案の仕切り板の正面図を図１に、側面図を図２に、平面図を図３に示す。
木考案のスチール製の底板の平面図を図４に、側面図を図５に示す。
本考案の組立使用図を図６に示す。
【産業上の利用可能性】
【０００７】  事務用机やキッチン整理棚の引き出しにおいて、収納する品物に合わせて任意に位置決めが出来て、整理整頓を容易に可能にする用具を提供する。
【符号の説明】
【００１３】  １  仕切り板
１１  本体
１２  マグネット
１３  倒れ防止鍔
１４  長穴
２  底板
【図１】
0003186468.tif 000003
【図２】
0003186468.tif 000004
【図３】
0003186468.tif 000005
【図４】
0003186468.tif 000006
【図５】
0003186468.tif 000007
【図６】
0003186468.tif 000008
(57)【要約】      （修正有）【課題】ブラジャーの上下辺部に特殊ゴムを使用する事で締め付け感を軽減しズレにくく柔らかく肌にゴム跡がつきにくいブラジャーを提供する。【解決手段】前中心台４、土台脇５，バック布６の下辺のアンダーバストと、バック布６から、土台脇５を経て、カップ２とストラップ３との接続点に至る上辺部９と、布トラップ３１にかけて、天然と合成の混合したゴムラテックス糸を用いた。【選択図】図１
0003186466.tif 000002
【実用新案登録請求の範囲】
【請求項１】
前中心台４、土台脇５，バック布６の下辺のアンダーバスト８と、バック布６から、
土台脇５を経て、カップ２とストラップ布との接続点に至る上辺部９と、布ストラップ３１にかけて、天然と合成の混合したゴムラテックス糸を用いたことを特徴とするブラジャー。
【考案の詳細な説明】
【技術分野】
【０００１】  本考案は、ブラジャーの上下辺に、天然と合成の混合したゴムラテックス糸を使用したブラジャーに関する。
【背景技術】
【０００２】  ブラジャー着脱後、上下辺に使用するゴムによる跡かたが残りそれに伴いかゆみや汗が乾かず蒸れやすくなっていた。
【考案の概要】
【考案が解決しようとする課題】
【０００５】ゴムによる締め付けによる痛みやかゆみへの軽減とフィット性を生かした着け心地感を追求したものである。
【課題を解決するための手段】
【０００６】前中心台４、土台脇５，バック布６の下辺のアンダーバスト８と、バック布６から、土台脇５を経て、カップ２とストラップ布との接続点に至る上辺部９と、布トラップ３１の部分は、天然と合成の混合したゴムラテックス糸を用いたことを特徴とするブラジャー。
【考案の効果】
【０００７】ずれにくい特性がある為、体の動きによるバストの横流れを防止し伸縮性にも優れているので肌に食い込みにくい。
【図面の簡単な説明】
【０００８】
【図１】本考案のブラジャー図（表面）である。
【図２】本考案のブラジャー図（裏面）である。
【考案を実施するための形態】
【０００９】カップに収めたお肉が体の動きでずれて流れないように下辺部と背中から前腕にかけて天然と合成の混合したゴムラテックス糸を施す事により、バストの高さを維持し体の脇がもたつかないように実現する。
【００１０】本発明のブラジャーは、カップ２と、肩に掛けるストラップ３と、カップの下方の前中心台４と、カップの脇側の土台脇５、土台脇の背中側に隣接したバック布６，バック布の背中側に延伸したブラジャーを締め付けるフック７、ブラジャーを肩から吊るすためのストラップ３、ブラジャーの下部にあるアンダーバスト８、及び上辺部９からなる。
カップ、土台脇、バック布、フック、ストラップは、左右対称に配置されている。前中心台４、土台脇５、バック布６は横方向に連結されており、その下辺は面一で、アンダーバスト８を構成する。
ストラップ３は、カップ側に近い部分は布ストラップ、背中側はストラップテープで構成する。
【００１１】バック布６から、土台脇５、カップ２とストラップ布３１との接続点に至る上辺は、上辺部９を構成する。
アンダーバスト８と、上辺部９から、布ストラップにかけて、天然と合成の混合したゴムラテックス糸を使用する。
以上の構成により、肌にブラジャーのゴムの後が残りにくく、体を動かしてのずれにくくなる。
【産業上の利用可能性】
【００１２】ブラジャーに限らずファンデーションにも適用できる。
【符号の説明】
【００１３】１  ブラジャー
２  カップ
３  ストラップ
３１  布ストラップ
３２  ストラップテープ
４  前中心台
５  土台脇
６  バック布
７  フック
８  アンダーバスト
９  上辺部
【図１】
0003186466.tif 000003
【図２】
0003186466.tif 000004
(57)【要約】      （修正有）【課題】壁に掲示する時、掲示物に直接画ビョウを刺して掲示物を傷つけたりしない圧着掲を提供する。【解決手段】鉄板１と磁石２を接着し一部に画ビョウ穴５を設ける。画ビョウ穴５に画ビョウを刺し壁に止め磁石２に折れ溝線３を設け、折れ線溝３より一部を開閉できる磁石圧着部４を設ける。鉄板１と磁石２の間に掲示物をはさみ鉄板１と磁石２の圧着により掲示物を、挟み止め飾る圧着掲示用器具である。【選択図】図１
0003186464.tif 000002
【実用新案登録請求の範囲】
【請求項１】
鉄板１と磁石２を接着し一部に画ビョウ穴５を設け、穴に画ビョウ６を刺し壁に止め磁石に折れ溝線３を設け、折れ線溝３より一部を開閉できる磁石圧着部４を設け、鉄板１と磁石２の間に掲示物８をはさみ鉄板１と磁石２の圧着により掲示物８を、挟み止め飾る圧着掲示用器具である。
【考案の詳細な説明】
【技術分野】
【０００１】  この考案は、画びょうで取り付け鉄板と磁石の間に掲示物を置き鉄板と磁石圧着部の圧着で掲示物を止め掲示する物である
【背景技術】
【０００２】  従来，掲示物を部屋に飾ったりする時は，画ビョウを四隅に刺して飾っていたりした。
【本考案が解決しようとする課題】
【０００３】  これでは掲示物四隅に穴があいてしまい又刺し穴が大きくなり掲示物が切れてしまう事があった。又壁などには数多くの刺し後付いてしまい壁なども汚らしくなってしまった。
【課題を解決するための手段】
【０００４】  本考案はこの様な欠点を除くためになされたもので、図面について説明すれば鉄板１に磁石２を付け磁石圧着部４は開閉できるように折れ溝線３を付ける画ビョウ穴５に画ビョウ６を刺し壁に止める。
【考案の効果】
【０００５】  本考案はこの様な構造であるから、画ビョウ６で一度止めれば、同じ大きさであれば磁石圧着部４を開閉すれば掲示物８を飾ったり外したりすることが容易にできる。
画ビョウ６を抜かずに掲示物を圧着でとめることできるので、簡単に掲示物８が取り外せ、飾るかことができ又壁７に掲示するたび画ビョウ６を刺したり抜いたりして壁７にいくつもの画ビョウ穴５痕を付けなくて済むので壁も綺麗
につかえる。
【本考案を実地するための最良の形態】
【０００６】  鉄板１平面に磁石２一部接着取り付け磁石２に折れる溝線３をつける、磁石溝線３下磁石圧着部４は磁力で鉄板１に張り付くようにする。鉄板上部一部に画ビョウ６の針が通る穴５を設ける。
本考案は以上のような構造でこれを使用するときは画ビョウ穴５に画ビョウ６を刺し壁７などに刺しとめ固定し、磁石圧着部４を開き掲示物８を鉄板１と磁石圧着部４の間に入れ磁石圧着部４を閉じれば、掲示物８が挟まれ圧着で簡単に止まり同じ大きさなら画ビョウ６を外さず何回でも掲示物８を綺麗に傷つけず飾ることができる。
【図面の簡単な説明】
【０００７】
【図１】本考案の斜視図である。
【図２】本考案の壁にとりつけた時の側面図である。
【符号の説明】
【０００８】１鉄板
２磁石
３折れ溝線
４磁石圧着部
５画ビョウ穴
６画ビョウ
７壁
８掲示物
【図１】
0003186464.tif 000003
【図２】
0003186464.tif 000004
(57)【要約】      （修正有）【課題】ペースメーカーパルスの視認性を向上させた心電計を提供する。【解決手段】誘導ケーブル、アンプ、パソコン及びプリンタを備え、ペースメーカーを埋め込まれた被検者の自己心拍をペースメーカーの刺激パルスとともに検出し、検出信号に基づいて心電波形を表示及び／又は印刷する心電計である。自己心拍の波形６と刺激パルスの波形７とを互いに異なる色で表示・印刷する。【選択図】図３
0003186159.tif 000002
【実用新案登録請求の範囲】
【請求項１】
ペースメーカーを埋め込まれた被検者の自己心拍を前記ペースメーカーの刺激パルスとともに検出し、検出信号に基づいて心電波形を表示及び／又は印刷するものであって、前記自己心拍の波形と前記刺激パルスの波形とを互いに異なる色で表示・印刷することを特徴とする心電計。
【考案の詳細な説明】
【技術分野】
【０００１】
この考案は、心電計に関し、ペースメーカーを埋め込まれた被検者の心電波形を計測するのに好適に利用されうる。
【背景技術】
【０００２】
従来の標準１２誘導心電図波形測定用の心電計では、被検者の心臓から発せられる自己心拍の電位の基準点とペースメーカーパルスの電位の基準点とが同じであるため、ペースメーカーパルスの波形と自己心拍波形とが重ねて表示および印刷されていた。
【考案の概要】
【考案が解決しようとする課題】
【０００３】
しかし、従来の心電計では、表示又は印刷されるペースメーカーパルスの波形と心拍波形とが同一色であったため、心拍波形とペースメーカーパルスとの識別が循環器科専門医でなければ難解であった。
また、ペースメーカーは電磁的エネルギーの影響を受けやすいため、心拍波形にノイズが混入することが多いところ、ペースメーカーパルスとノイズとの識別も非常に困難であった。
それ故、この考案の課題は、ペースメーカーパルスの視認性を向上させた心電計を提供することにある。
【課題を解決するための手段】
【０００４】
その課題を解決するために、この考案の心電計は、
ペースメーカーを埋め込まれた被検者の自己心拍を前記ペースメーカーの刺激パルスとともに検出し、検出信号に基づいて心電波形を表示及び／又は印刷するものであって、前記自己心拍の波形と前記刺激パルスの波形とを互いに異なる色で表示・印刷することを特徴とする。
【０００５】
互いに異なる色とは、例えば心拍波形を緑色とするとき、ペースメーカーパルスを赤色で表示又は印刷するようなことを指すが、この組み合わせに限定されない。
【考案の効果】
【０００６】
以上のように、この考案の心電計によればペースメーカーパルスが、心拍波形上に心拍波形と異なる色で表示および／または印刷されるので、パルスと被検者の自己心拍波形との識別が容易になるばかりではなく、ノイズが混入した場合のノイズとパルスとの識別も容易となる。
【図面の簡単な説明】
【０００７】
【図１】この考案の実施形態の心電計を示す構成図である。
【図２】この考案の実施形態の心電計が表示する心電波形である。
【図３】図２のＡ部拡大図である。
【考案を実施するための形態】
【０００８】
以下、この考案の実施形態を図面とともに説明する。
心電計１は、図１に示すように、標準１２誘導心電図波形測定用の誘導ケーブル２と、ケーブル２のコネクタ２ａとの接続口３ａを有して、ケーブル２から送られる信号を増幅して心電波形に変換するアンプ３と、アンプ３に接続される汎用パソコン４と、パソコン４に接続されるプリンタ５とを備える。
【０００９】
パソコン４は、ＣＰＵ、メモリ、液晶表示パネルを備え、メモリ内にはアンプ３から入力される心電波形を解析して、液晶表示パネル上で心拍波形は緑色、ペースメーカーパルスは赤色に表示させるプログラムが格納されている。
【００１０】
心電計１によれば、コネクタ２ａと接続口３ａとを接続して、ペースメーカーを埋め込まれた被験者の心電図を測定すると、心電波形のうち、被験者の自己心拍は図２及び図３に示すように連続した緑色の波形６で表示・印刷され、パルスは波の進行方向に対して垂直な所定長さの赤色の線分７で波の進行方向に対して間欠的に表示・印刷される。その結果、心臓から発せられる心拍波形とパルスとを容易に識別する事ができ、ノイズとパルスとも容易に識別する事が可能となった。
尚、この実施形態では前記プログラムを格納するコンピュータとして汎用のパソコン４を用いたが、アンプ３とコンピュータを合体させた専用機であってもよい。
【符号の説明】
【００１１】
１  心電計
２  誘導ケーブル
３  アンプ
４  パソコン
５  プリンタ
【図１】
0003186159.tif 000003
【図２】
0003186159.tif 000004
【図３】
0003186159.tif 000005
(57)【要約】      （修正有）【課題】拡張現実感技術を用いて生成される画像を表面に備えるマッサージ器を提供する。【解決手段】マッサージ器や抱き人形に拡張現実感技術により生成された画像を備えることにより、拡張現実感技術の処理を行えるようにする。拡張現実（ＡＲ）処理を行うことで、さも実在の人間がそこにいるかのように視覚や聴覚で感じることができるようになる。【選択図】図１
0003186200.tif 000002
【実用新案登録請求の範囲】
【請求項１】
（公序良俗違反につき、不掲載）
【請求項２】
（公序良俗違反につき、不掲載）
【請求項３】
（公序良俗違反につき、不掲載）
【考案の詳細な説明】
公序良俗違反のため、不掲載とする。
【図１】
0003186200.tif 000003
【図２】
0003186200.tif 000004
【図３】
0003186200.tif 000005
【手続補正書】
【提出日】平成25年1月21日(2013.1.21)
【手続補正１】
【補正対象書類名】実用新案登録請求の範囲
【補正対象項目名】全文
【補正方法】変更
【補正の内容】
【実用新案登録請求の範囲】
【請求項１】
拡張現実感技術を用いて生成される画像を表面に備えることを特徴としたマッサージ器。
【請求項２】
拡張現実感技術を用いて生成される画像を表面に備えることを特徴としたビニルやシリコンを用いた抱き人形。
【請求項３】
拡張現実感技術を用いて生成される画像を表面に備えることを特徴とした精子採取器。
【手続補正２】
【補正対象書類名】明細書
【補正対象項目名】全文
【補正方法】変更
【補正の内容】
【考案の詳細な説明】
【技術分野】
【０００１】本考案は、視覚情報を持たせるために、精子採取器・抱き人形・マッサージ器に対し拡張現実感技術を用いて生成される画像を表面に備える改良を加えたものである。
【背景技術】
【０００２】マッサージ器具には、精子採取器様のものや、ビニルやシリコンを用いた抱き人形などが存在し流通している。
しかし、現在までのそれらは視覚や聴覚に訴えかける面が小さかった。
【考案の概要】
【考案が解決しようとする課題】
【０００３】マッサージ器具には、精子採取器様のものや、ビニルやシリコンを用いた抱き人形などが存在し流通している。
しかし、現在までのそれらは視覚や聴覚に訴えかける面が小さかった。
【課題を解決するための手段】
【０００４】精子採取器様のものや、ビニルやシリコンを用いた抱き人形、またマッサージ器に拡張現実感技術により生成された画像を備えることにより、拡張現実感技術の処理を行えるようにする。
【考案の効果】
【０００５】拡張現実（ＡＲ）処理を行うことで実現できる、さも実在の人間がそこにいるかのように視覚や聴覚で感じることができるようになるという効果を得ることができる。
【図面の簡単な説明】
【０００６】
【図１】本考案の一実施例を現す正面図である。
【図２】本考案の一実施例を現す正面図である。
【図３】本考案の一実施例を現す正面図である。
【考案を実施するための形態】
【０００７】精子採取器様のものや、ビニルやシリコンを用いた抱き人形、またマッサージ器の表面に１個あるいは複数の拡張現実感技術により生成された画像を貼り付け、あるいは印刷する。
【手続補正書】
【提出日】平成25年5月13日(2013.5.13)
【手続補正１】
【補正対象書類名】実用新案登録請求の範囲
【補正対象項目名】全文
【補正方法】変更
【補正の内容】
【実用新案登録請求の範囲】
【請求項１】
表面にＡＲマーカーを備えたマッサージ器。
【請求項２】
表面にＡＲマーカーを備え、ビニルやシリコンを用いた抱き人形。
【請求項３】
表面にＡＲマーカーを備えた精子採取器。
(57)【要約】      （修正有）【課題】小さな力でも回転子を回転させることが出来るようにする発電機及び電動機を提供する。【解決手段】極数が多い発電機や電動機に於いて、回転子のコイル又は磁石の数（極２，３，４の数）と固定子のコイル又は磁石の数を１個以上違える。コイル又は磁石の数を違えると固定子と回転子の相対する極数が少なくなり其々が磁石によって引き合う極数が少なくなり、不安定な状態になり、小さな力でも回転させることが出来る。【選択図】図４
0003186712.tif 000002
【実用新案登録請求の範囲】
【請求項１】
極数の多い発電機や電動機で、回転子のコイル又は磁石の数（極数）と回転子のコイル又は磁石の数（極数）が１個以上違うこと。
【考案の詳細な説明】
【技術分野】
【０００１】電機業界に於いて発電機や電動機の分野
【背景技術】
【０００２】  従来の技術では発電機や電動機では回転子のコイル又は磁石（以下極と呼ぶ）と、固定子のコイル又は磁石（以下極と呼ぶ）の数量が同じものが多かった。
【考案の概要】
【考案が解決しようとする課題】
【０００３】  回転子の極の数量と、固定子の極の数量が同じであると、その磁力によって引っ張り合う力が大きく、回転させるには大きな力が必要であった。そこで、小さな力でも回転させることができるようにする
【課題を解決するための手段】
【０００４】  回転子の極の数と、固定子の極の数を１個以上違える
【考案の効果】
【０００５】  回転子の極と、固定子の数が違うので、少ない数個しか極が相対していない。
【考案を実施するための最良の形態】
【０００６】  極の数が少ないよりも、固定子の電極数１５個と回転子の電極数１６個のように多い方が隣り合う極との距離が少ないので効果は大きい。
【発明の産業上の利用方法】
【０００７】  主に発電機に利用するが、電動機にも応用できる
【図面の簡単な説明】
【０００８】
【図１】従来の固定子（点線で表示）
【図２】従来の固定子に回転子を重ねたもの（回転子を実戦で表示）
【図３】考案の固定子（点線で表示）
【図４】考案の固定子に回転子を重ねたもの（回転子を実戦で表示）
【符号の説明】
【０００９】図中の  １、２、３、４  はそれぞれ極
【図１】
0003186712.tif 000003
【図２】
0003186712.tif 000004
【図３】
0003186712.tif 000005
【図４】
0003186712.tif 000006
【手続補正書】
【提出日】平成25年8月1日(2013.8.1)
【手続補正１】
【補正対象書類名】実用新案登録請求の範囲
【補正対象項目名】全文
【補正方法】変更
【補正の内容】
【実用新案登録請求の範囲】
【請求項１】
回転子のコイル又は磁石の数と固定子のコイル又は磁石の数が１個以上違うことを特徴とする発電機。
【請求項２】
回転子のコイル又は磁石の数と固定子のコイル又は磁石の数が１個以上違うことを特徴とする電動機。
(57)【要約】      （修正有）【課題】道具を使わず右利き、左利きを問わず、左右から簡単に開封を可能にする特定封筒を提供する。【解決手段】封筒ののりしろがたたまれている状態で、のりしろの上辺にかかるように開封のための切り口としてのミシン目を設ける。また、上辺のミシン目と平行に１センチメートル離れたところにもミシン目を合わせて設ける。開封時には両ミシン目に挟まれた開封箇所を引くことで左右どちらからでも開封可能となる。【選択図】図３
0003186713.tif 000002
【実用新案登録請求の範囲】
【請求項１】
開封のための切り口として、封入口ののりしろを利用してミシン目を設け、開封時には、左右どちらからでも開封可能な特定封筒
【考案の詳細な説明】
【技術分野】
【０００１】本実用新案は、特定封筒の面を利用しての開封に関するものである【０００２】従来は、辺をナイフ、はさみ等や手でちぎって開封していた
【先行技術文献】
【０００３】
【実用新案が解決しようとする課題】
【０００４】家庭内や事務において、到着した封筒の開封は、手でちぎって開封したり、ナイフやはさみ等で行っていた。しかし、すぐに開封しようとした時ナイフ等の道具が近くにないことの方が多かった。また、はさみ等で切って開封すると、中の封入物まで切ってしまうおそれもあった
【問題を解決する手段】
【０００５】従来の辺を利用しての開封ではなく、開封のための切り口として面を利用してミシン目を設け、左右どちらからでも開封を可能にした特定封筒です。  ミシン目をもち、辺を利用したものがあるが、ミシン目で封筒の大きさを活かしきれない状態になっている。この点も、のりしろの部分を活用してのミシン目ですので、封筒の大きさを十分活用した特定封筒です。
【図面の簡単な説明】
【０００６】
【図１】表
【図２】裏  封入前
【図３】裏  封入後
【図４】裏  開封時
【実用新案を実施刷るための形態】
【０００７】実用新案を実施するための構造は、面を利用し、また、のりしろを利用して開封のための切り口としてミシン目を設けた特定封筒で、ＡからＢ、ＢからＡと矢印の方向へと引いて開封する。  作用としては、右利き、左利きの関係なく、開封のための切り口としてのミシン目に沿って開封を行う。  また、封入時には、のりしろＣのうえの使用時までくっつかないようにしてある油紙Ｄをはがしてのりづけをして使用する
【符号の説明】
【０００８】Ａ  左からのあけ口    Ｂ  右からのあけ口    Ｃ  のりしろＤ  のりしろが使用時までくっつかないようにしてある油紙
【図１】
0003186713.tif 000003
【図２】
0003186713.tif 000004
【図３】
0003186713.tif 000005
【図４】
0003186713.tif 000006
【手続補正書】
【提出日】平成25年7月31日(2013.7.31)
【手続補正１】
【補正対象書類名】実用新案登録請求の範囲
【補正対象項目名】全文
【補正方法】変更
【補正の内容】
【実用新案登録請求の範囲】
【請求項１】
封筒ののりしろがたたまれている状態で、開封面としてののりしろの上辺にかかるように開封のための切り口としてのミシン目を設け、また、上辺のミシン目と平行に１センチメ−トルのところにも開封のための切り口としてのミシン目を合わせて設け、開封時には両ミシン目に挟まれた開封箇所を引くことで左右どちらからでも開封可能な特定封筒
【手続補正２】
【補正対象書類名】明細書
【補正対象項目名】全文
【補正方法】変更
【補正の内容】
【考案の詳細な説明】
【技術分野】
【０００１】本実用新案は、特定封筒ののりしろの辺とのりしろの面にミシン目を設け開封時には左右どちらからでも開封可能な特定封筒【０００２】従来は辺をナイフやはさみ、手でちぎりする等で開封していた
【先行技術文献】
【０００３】
【特許文献１】
【実用新案が解決しようとする課題】
【０００４】封筒の開封に関する考え方は封ずる事より軽んじられていないだろうか。接着剤のつけすぎや内容物が目一杯入っていて、内容物をも切って開封してしまうこともしばしばです。また、手元にないふやはさみ等がないときもあります。こんな時の開封を解決し円滑な開封を可能にする特定封筒
【問題を解決する手段】
【０００５】のりしろがたたまれている状態の封筒の、のりしろ面の上辺と上辺とのりしろの面に平行にミシン目を設け、両ミシン目に挟まれている箇所を引くこと開封する特定封筒で左右どちらからも開封可能な特定封筒
【実用新案の効果】
【０００６】最近、封筒の幅いっぱいの書類が到着し、ナイフやはさみ等で開封して、中の書類まできってしまうこともしばしばです。このように中身を傷つけずに、しかも、開封時に封筒もくちゃくちゃにならずに開封でき、また、右利き左利き問わずに、左右どちらからも開封できる利点がある
【図面の簡単な説明】
【０００７】
【図１】  本実用新案の斜視図
【図２】  本実用新案の使用状況を示す斜視図
【実用新案を実施するための形態】
【０００８】以下、本実用新案を実施するための形態】
１  開封のための切り口ＡからＢとＣからＤの開封の為の引き手Ｅを引く
２  開封のための切り口ＤからＣとＢカラＡの開封の為の引き手Ｆを引く
【符号説明】
１  のりしろ上辺のミシン目ＡちからＢ    ５  ＡＣ開封時の引き手  Ｅ
２  のりしろ面のミシン目  ＣからＤ      ６  ＢＤ開封時の引き手  Ｆ
３  のりしろ上辺のミシン目ＢからＡ
４  のりしろ面のミシン目  ＤからＣ
【手続補正３】
【補正対象書類名】図面
【補正対象項目名】全図
【補正方法】変更
【補正の内容】
【図１】
0003186713.tif 000007
【図２】
0003186713.tif 000008
(57)【要約】      （修正有）【課題】動力に自然エネルギー引力を利用した低コスト、クリーンな、企業、工場、家庭用発電機を提供する。【解決手段】上部回転リング４と無回転下リング１１の間に横軸発電機２を組合わせ、上部回転リングに取付けた重りにより無回転下リングが上下運動し上部回転リングが回転し、押上げ金具１と跳ね上げ７で、再度重りが移動し無回転下リングの上下運動と上部回転リングの回転運動を永久的に繰り返す事で、横軸発電機を回転させ発電する。点検等の時１機を停止するので、２機１組で使用する。【選択図】図１
0003186716.tif 000002
【実用新案登録請求の範囲】
【請求項１】
自然エネルギー引力を利用し、上部回転リングと無回転下リングの間の横軸発電機で発電すると言う自然エネルギー発電機に関する発明である。
図面の番号により説明する。
バネの中央に上下急激動作防止装置９を組込んだ何台かの支えバネ８で固定した上下運動する無回転下リング１１との間に横軸発電機２を組合わせ、上部回転リング４にバランス重り３を取付け上部回転リング自体が回転運動を出来る様にし、無回転下リング１１は支えバネ８の力で上下運動するので上部回転リング４のバランス重り３が下に行こうとする引力の力で回転に替えバランス重り３が回転方向に通り過ぎてから押上金具１の通過で無回転下リング１１全体を跳ね受座１２で固定した跳ね上げ７で跳ね上げ、上部回転リング４とバランス重り３が次の回転位置へ進むその繰返しにより永久的に上部回転リング４が回転し、その回転運動する上部回転リング４と上下運動する無回転下リング１１の間に数台の横軸発電機２を組込み横軸発電機２の横軸が曲がったり、折れたりしないための横軸発電機２の下側に補助輪１０を取付補強上下横ズレ防止し、車輪受座６の上部に取付けた起動、ブレーキ車輪５で上部回転リング４全体と無回転下リング１１全体がズレ無い様車輪で押さえる役目も果し上部回転リング４無回転下リング１１に合わせ各独立した部材の組込みで全体に大型化が出来る様にし、上部回転リング４の回転力で横軸発電機２の横軸を回転させ運転し発電するという構造を有する引力発電機。
【考案の詳細な説明】
【技術分野】
【０００１】本発明は、動力に引力を利用し、無公害発電機に関するものである。
【背景技術】
【０００２】従来発電機と言えば、原子力、水力、火力、地熱、風力、太陽光、天然ガス等色々有るが、リスク、有害物質、ＣＯ２、無風、夜間等の条件で、何らかの難点が有る。
【考案の開示】
【考案が解決しようとする課題】
【０００３】従来発電機は、有害物質を発したり、ＣＯ２を排出したり、と問題点が有り、本発明が解決しようとする課題は、自然エネルギー引力を利用する事で、有害物質、ＣＯ２を排出しないクリーン発電機で有れば、前述の課題を解決出来ると考えたものである。
【課題を解決するための手段】
【０００４】コストが安く有害物質が出なく、特に問題点も無い、自然クリーンエネルギーを利用すれば、前述の問題点を無くせると考えた結果、地球上何処にも有る自然エネルギーの引力で重りを利用しバネの上下運動で上部リングで永久的に横回転に変え効率よく自然発電し、前述の欠点を解決しようとするものである。
【考案の効果】
【０００５】上述の様に、本発明の引力発電機は、自然エネルギーで、発電するので、有料の動力エネルギーコストが掛からず無公害で、昼夜を問わず発電出来、企業、工場、家庭用の安価発電の効果がある。
【考案を実施するための最良の形態】
【０００６】上述の様に上下運動を回転運動に変える為、どうしても動力音が出るので、山奥、地下などに設置できる構造で、電力容量に応じ大きさを多段階に作成出来、予備機、点検等も行うので２台一組とし提供する。
【実施例】
【０００７】以下、添付図面に従い実施例を説明する。（１）は、上部回転リング（４）に取付けた４を上に上げる押上金具である。（２）は、横軸発電機で複数取付可能で有る。（３）は、４と１１を傾けるバランス重りで有る。（５）は、４と１１が隙間を無くし起動、ブレーキの出来る車輪で有る。（６）は、５の受け座で有る。（７）は、１の当りにより４を跳ね上げるローラー付きＬ型跳ね上げで有る。（８）は、４、１１を支えるバネで、（９）の上下急激動作防止を中に組み込んだ支えバネで有る。（１０）は、２の横軸劣化防止補助輪で有る。（１１）は、無回転下リングで有る。（１２）は、跳ね上げの架台受座で有る。
【産業上の利用可能性】
【０００８】大型機を何台か作成すれば、原子力発電機の代わりが出来る。
【図面の簡単な説明】
【０００９】
【図１】  全体の斜め上図である。
【図２】  回転リング及び付属部材斜め上図である。
【図３】  下リング及び付属部材斜め上図である。
【図４】  全体の正面図である。
【符号の説明】
【００１０】  １      押上金具                            ９      上下急激動作防止装置
２      横軸発電機                          １０    補助輪
３      バランス重り                        １１    無回転下リング
４      上部回転リング                      １２    跳ね受座
５      起動、ブレーキ車輪
６      車輪受座
７      跳ね上げ
８      支えバネ
【図１】
0003186716.tif 000003
【図２】
0003186716.tif 000004
【図３】
0003186716.tif 000005
【図４】
0003186716.tif 000006
【手続補正書】
【提出日】平成25年8月5日(2013.8.5)
【手続補正１】
【補正対象書類名】実用新案登録請求の範囲
【補正対象項目名】全文
【補正方法】変更
【補正の内容】
【実用新案登録請求の範囲】
【請求項１】
バネの中央に上下急激動作防止装置（９）を組込んだ何台かの支えバネ（８）で固定した上下運動する無回転下リング（１１）との間に横軸発電機（２）を組合わせ、上部回転リング（４）にバランス重り（３）を取付け上部回転リング自体が回転運動を出来る様にし、無回転下リング（１１）は支えバネ（８）の力で上下運動するので上部回転リング（４）のバランス重り（３）が下に行こうとする引力の力で回転に替えバランス重り（３）が回転方向に通り過ぎてから押上金具（１）の通過で無回転下リング（１１）全体を跳ね受座（１２）で固定した跳ね上げ（７）で跳ね上げ、上部回転リング（４）とバランス重り（３）が次の回転位置へ進むその繰返しにより永久的に上部回転リング（４）が回転し、その回転運動する上部回転リング（４）と上下運動する無回転下リング（１１）の間に数台の横軸発電機（２）を組込み横軸発電機（２）の横軸が曲がったり、折れたりしないための横軸発電機（２）の下側に補助輪（１０）を取付補強上下横ズレ防止し、車輪受座（６）の上部に取付けた起動、ブレーキ車輪（５）で上部回転リング（４）全体と無回転下リング（１１）全体がズレ無い様車輪で押さえる役目も果し上部回転リング（４）無回転下リング（１１）に合わせ各独立した部材の組込みで全体に大型化が出来る様にし、上部回転リング（４）の回転力で横軸発電機（２）の横軸を回転させ運転し発電するという構造を有する引力発電機。
(57)【要約】      （修正有）【課題】自動車のアクセルペダルとブレーキペダルの踏み間違い事故を防止する自動車の足感知スイッチつきブレーキペダルを提供する。【解決手段】自動車のブレーキペダル１に足感知スイッチ２を設け、足感知スイッチ２と結線されたブレーキペダル表示灯と信号音発信装置を運転席前面に設けた。【選択図】図１
0003186714.tif 000002
【実用新案登録請求の範囲】
【請求項１】
自動車のブレーキペダルに足感知スイッチを設ける。
【請求項２】
足感知スイッチには赤外線センサースイッチや感圧スイッチ、ボタンスイッチ等を使用する。
【請求項３】
運転席前面に足感知スイッチと結線されたブレーキペダル表示灯を設ける。
【請求項４】
運転席前面に足感知スイッチと結線された信号音発信装置を設ける。
【考案の詳細な説明】
【技術分野】
【０００１】  本考案はブレーキペダルに足感知スイッチを設けて、足をのせると足感知スイッチが作動し運転席前面に設けられたブレーキペダル表示灯が点灯して、同時に信号音ピィを発するようにした、自動車の足感知スイッチつきブレーキペダルに関するものである。
【背景技術】
【０００２】  従来、運転者がブレーキペダルに足をのせたときブレーキペダル表示灯が点灯して、又信号音ピィを発して運転者に知らせるようなものはなかった。
【先行技術文献】
【特許文献】
【０００３】
【特許文献１】特開２０１２−０４６１６１号公報
【考案の概要】
【考案が解決しようとする課題】
【０００４】  自動車のアクセルペダルとブレーキペダルの踏み間違い事故を防止すること。
【課題を解決するための手段】
【０００５】（イ）ブレーキペダル（１）に足感知スイッチ（２）を設ける。
（ロ）運転席前面にブレーキペダル表示灯（３）と信号音発信装置（４）を設ける。
【考案の効果】
【０００６】  したがって、運転者が足をブレーキペダルにのせるたびに足感知スイッチが作動して、運転席前面に設けられたブレーキペダル表示灯が点灯し、又同時に信号音ピィを発して運転者にブレーキペダルに足をのせたことを認識させるので、とくに高齢者によるブレーキペダル踏み間違い事故の防止に役立てることができる。
【図面の簡単な説明】
【０００７】
【図１】  本考案の斜視図である。
【図２】  本考案の電気回路図である。
【考案を実施するための形態】
【０００８】  以下、本考案を実施するための形態について説明する。
自動車のブレーキペダル（１）に足感知スイッチ（２）を設ける。
足感知スイッチ（２）には赤外線センサースイッチや感圧スイッチ、ボタンスイッチ等を使用する。又運転席前面に足感知スイッチ（２）と結線されたブレーキペダル表示灯（３）と信号音発信装置（４）を設ける。
本考案は以上のような構造であるから、足をブレーキペダル（１）にのせると足感知スイッチ（２）が作動して運転席前面に設けられたブレーキペダル表示灯（３）が点灯し、又同時に信号音発信装置（４）も信号音ピィを発するようにしたものである。
【符号の説明】
【０００９】  １    ブレーキペダル
２    足感知スイッチ
３    ブレーキペダル表示灯
４    信号音発信装置
【図１】
0003186714.tif 000003
【図２】
0003186714.tif 000004
【手続補正書】
【提出日】平成25年7月30日(2013.7.30)
【手続補正１】
【補正対象書類名】実用新案登録請求の範囲
【補正対象項目名】全文
【補正方法】変更
【補正の内容】
【実用新案登録請求の範囲】
【請求項１】
足感知スイッチを設けた自動車のブレーキペダル。
【請求項２】
前記足感知スイッチは赤外線センサースイッチ、感圧スイッチ又はボタンスイッチである、請求項１に記載のブレーキペダル。
【請求項３】
運転席前面に前記足感知スイッチと結線されたブレーキペダル表示灯を設けた、請求項１に記載のブレーキペダル。
【請求項４】
運転席前面に前記足感知スイッチと結線された信号音発信装置を設けた、請求項１に記載のブレーキペダル。
(57)【要約】      （修正有）【課題】スピードコントローラーと目盛、正、負の極性変換の切り替えスイッチ（電源停止スイッチ含む）、オーバーロード保護回路を本体自身に持ち、ＵＳＢポートから電力供給を受けて動作するリューターを提供する。【解決手段】本体部分に電源スイッチ（極性変換切り替えスイッチ）８、スピードコントローラー４、スピード目盛６を取り付けることにより、片手で効率的に作業を行えるようにする。電源はＵＳＢ端子から取るため、充電器やパソコンがあればコンセントのない場所でも作業を行うことが可能となる。また、オーバーロード保護回路をＵＳＢコネクタ部に組み込み、過負荷状態が続いた場合、自動的に動作を停止させる。【選択図】図１
0003186710.tif 000002
【実用新案登録請求の範囲】
【請求項１】
回転式スピードコントローラーを本体に有するリューター。
【請求項２】
回転スピード表示を本体に有するリューター。
【請求項３】
極性変換切り替え、電源停止スイッチを本体に有するリューター。
【請求項４】
ＵＳＢ端子から電力供給を受けて動作するリューター。
【請求項５】
オーバーロード保護機能を本体に有するリューター。
【考案の詳細な説明】
【考案の詳細な説明】
【技術分野】
【０００１】本考案は、本体にスピードコントローラーと目盛、正、負の極性変換の切り替えスイッチ（電源停止スイッチを含む）、オーバーロード保護回路付きＵＳＢコネクタを有し、ＵＳＢ端子から電力供給を受けて動作するリューターに関する。
【背景技術】
【０００２】従来のリューターは、スピード変換機能、正、負の極性変換機能を制御する部品が本体以外の場所にあり、電源はコンセントから供給されるのが一般的である。
【考案の概要】
【考案が解決しようとする課題】
【０００３】たとえば自身で行うネイルオフ等の作業は、必然的に片手での作業となる。この場合、従来のリューター（ネイルマシン）では、正・逆回転の切り替えスイッチおよびスピードコントローラーが本体とは離れた場所にあるため、電源のオフおよび正・逆回転の切り替えとスピード調節は、リューター本体を持つ手とは反対の手で行うか、もしくは一旦リューターを置いて行わなければならず、非効率的である。また、スピードコントローラーによってモーターの回転スピードを変化させても、実際の回転速度を数字として確認することができず、作業内容や個人の好みによって異なる最適なスピード値を記憶しておくことが困難である。また、電源はコンセントから供給されるため、作業場が限定されてしまい、本体を自由に移動させることが難しい。リューターを過負荷状態で使用し続けた場合、過熱してやけどや火災の原因となることがある。
【課題を解決するための手段】
【０００４】本考案は回転式スピードコントローラー、極性変換の切り替えスイッチ、電源停止スイッチを本体自身に有しているリューターを実現し、オーバーロード保護回路を組み込んだＵＳＢコネクタを取り付けることにより、上記課題を解決するものとする。
【考案の効果】
【０００５】本考案のリューターは、ドリル、スピードコントローラー、スイッチが一体となっているため、持ち手を変えたり、リューターを置いたりすることなく、作業をすべて片手で行うことができ、作業時間の短縮に繋がる。また、モーターの回転スピードが、目盛表示によって確認できるため、作業内容や個人の好みによって異なるスピードを記憶しておくことが可能となり、作業の利便性が向上する。電力はＵＳＢ端子から取れるので、コンセントのない場所でも、気軽に作業を行うことができる。また、ＵＳＢコネクタにオーバーロード保護回路を取り付けることにより、リューターおよび電源装置に過負荷を与えることなく、安全に作業を行うことができる。
【図面の簡単な説明】
【０００６】
【図１】本考案に係わるリューターの分解図である。
【図２】リューターの完成品である。
【図３】リューター外部回路の実物写真である。
【図４】本考案に係わるリューターの回路説明図である。
【考案を実施するための形態】
【実施例】
【０００７】以下本考案に係わるリューターの回転式スピードコントローラーの構成を説明する。図１に示すように▲２▼から▲６▼が回転式スピードコントローラー部の構成要素である。まず▲３▼に▲２▼の留めネジを差し込み▲４▼と▲５▼を連結させる。次に▲４▼の可動式ネジを回し▲３▼の穴に差し込む。▲６▼の内側には▲４▼のネジの先端が入る窪みがあり、▲４▼のネジ部分と▲６▼を連結させる。以上の構成により、▲６▼のダイヤルを回転させることで、▲４▼の可動式ネジが回り、同時に▲３▼と▲５▼が回る。▲５▼は図４に示すように、内部回路に埋め込んだ調圧用可変抵抗Ｒである。▲５▼を回すことにより出力電圧が変化し、ＤＣモーターの回転スピードが変わる。【０００８】以下本考案に係わるリューターの回転スピード表示について説明する。図１に示すように▲７▼を▲８▼に固定し▲６▼に被せる。▲７▼は一部がくり抜かれているため、▲６▼に書かれたスピード表示が見える。▲６▼を回すことにより回転スピードが変化し、それに伴い表示が変わるため、いつでも回転スピードを数字で確認することができる。【０００９】以下本考案に係わるリューターの極性変換切り替えスイッチ、電源停止スイッチについて説明する。図１に示すように、ロッカスイッチを▲８▼に取り付ける。ロッカスイッチは図４の内部回路ＳＷである。スイッチの切り替えにより、モーターの回転方向、動作停止を手元でコントロールすることができる。【００１０】以下本考案に係わるリューターのＵＳＢコントローラーについて説明する。図３はＵＳＢコントローラーの実物である。図４に示すようにリューターの回路構成は本体の内部回路とＵＳＢコントローラーの外部回路からなり、図２に示すように電源コードの入力部にＵＳＢコントローラーを取り付けることにより、移動充電器、またはパソコンから、電力供給を受けることができる。【００１１】以下本考案に係わるリューターのオーバーロード保護機能について説明する。図４に示すように外部回路（ＵＳＢコネクタ部分）に過負荷保護回路を取り付けることにより、過負荷状態が一定時間続いた場合、自動的に出力電流を遮断することができる。入力部分とモーター部分の両方が保護されるため、より安全性が高いと言える。
【図１】
0003186710.tif 000003
【図２】
0003186710.tif 000004
【図３】
0003186710.tif 000005
【図４】
0003186710.tif 000006
【手続補正書】
【提出日】平成25年7月25日(2013.7.25)
【手続補正１】
【補正対象書類名】実用新案登録請求の範囲
【補正対象項目名】全文
【補正方法】変更
【補正の内容】
【実用新案登録請求の範囲】
【請求項１】
回転式スピードコントローラーを本体に有するリューター。
【請求項２】
回転スピード表示を本体に有することを特徴とする請求項１記載のリューター。
【請求項３】
極性変換切り替え、電源停止スイッチを本体に有することを特徴とする請求項１記載のリューター。
【請求項４】
ＵＳＢ端子から電力供給を受けて動作することを特徴とする請求項１記載のリューター。
【請求項５】
オーバーロード保護機能を本体に有することを特徴とする請求項１記載のリューター。